(57)【要約】【課題】本発明は、開閉角度を自動的に調整することができる電子装置及びその開閉角度の自動調整方法を提供することを目的とする。【解決手段】本発明に係る電子装置は、コンピュータ本体部と、前記コンピュータ本体部に回動可能に接続される表示装置と、前記表示装置と使用者との間の位置関係を検出する検出モジュールと、前記位置関係に基づいて対応する調整信号を生じる処理ユニットと、前記処理ユニットに電気的に接続され、且つ前記調整信号によって前記表示装置と前記コンピュータ本体部との間の開閉角度を調整する駆動ユニットと、を備える。前記電子装置の開閉角度の自動調整方法は、前記表示装置と使用者との間の位置関係を検出するステップと、前記位置関係に基づいて対応する調整信号を生じるステップと、前記調整信号によって前記表示装置と前記コンピュータ本体部との間の開閉角度を調整するステップと、備える。【選択図】図１
2011253531.tif 000002
【特許請求の範囲】
【請求項１】
コンピュータ本体部と、
前記コンピュータ本体部に回動可能に接続される表示装置と、
前記表示装置と使用者との間の位置関係を検出する検出モジュールと、
前記位置関係に基づいて対応する調整信号を生じる処理ユニットと、
前記処理ユニットに電気的に接続され、且つ前記調整信号によって前記表示装置と前記コンピュータ本体部との間の開閉角度を調整する駆動ユニットと、
を備えることを特徴とする電子装置。
【請求項２】
前記表示装置と使用者との間の位置関係は、前記表示装置と使用者の顔との間の距離値であり、前記処理ユニットは、前記距離値に基づいて対応する調整信号を生じることを特徴とする請求項１に記載の電子装置。
【請求項３】
前記検出モジュールは、
所定の焦点距離で前記表示装置の前の画面を撮影して画像を取得する画像取得ユニットと、
前記画像に顔があるかどうかを判断し、もし前記画像に顔があると、顔識別部分を取得する顔識別ユニットと、
前記顔識別部分の画像面積を測定し、且つ前記顔識別部分の画像面積に基づいて、使用者の顔と前記表示装置との間の距離値を計算する距離測定ユニットと、
を備えることを特徴とする請求項２に記載の電子装置。
【請求項４】
前記表示装置と使用者との間の位置関係は、前記表示装置と使用者との間の距離値であり、前記処理ユニットは、前記距離値に基づいて対応する調整信号を生じることを特徴とする請求項１に記載の電子装置。
【請求項５】
前記検出モジュールは、
前記表示装置の前の画面を撮影して画像を取得する画像取得ユニットと、
前記画像に顔が存在するかどうかを判断する顔識別ユニットと、
前記画像に顔があると、前記顔に対応する使用者と前記表示装置との間の距離値を測定する距離測定ユニットと、
を備えることを特徴とする請求項４に記載の電子装置。
【請求項６】
前記電子装置は、前記表示装置を前記コンピュータ本体部に回動可能に接続する回動軸をさらに備え、前記駆動ユニットは、モーターであり、前記モーターは前記回動軸の端部に固定され、前記モーターと前記回動軸は同軸に設置され、前記モーターは前記回動軸を駆動して回動させて、前記表示装置と前記コンピュータ本体部との間の開閉角度を調整することを特徴とする請求項１に記載の電子装置。
【請求項７】
前記処理ユニットは、前記距離値が所定距離値と等しいかどうかを判断し、前記距離値が所定距離値と等しくないと、調整信号を送信することを特徴とする請求項２又は請求項４に記載の電子装置。
【請求項８】
コンピュータ本体部及び前記コンピュータ本体部に回動可能に接続される表示装置を備える電子装置の開閉角度の自動調整方法であって、
前記表示装置と使用者との間の位置関係を検出するステップと、
前記位置関係に基づいて対応する調整信号を生じるステップと、
前記調整信号によって前記表示装置と前記コンピュータ本体部との間の開閉角度を調整するステップと、
備えることを特徴とする電子装置の開閉角度の自動調整方法。
【請求項９】
前記表示装置と使用者との間の位置関係を検出するステップは、
所定の焦点距離で前記表示装置の前の画面を撮影して画像を取得するステップと、
前記画像に顔が存在するかどうかを判断するステップと、
前記画像に顔が存在すると、顔識別部分を取得するステップと、
前記顔識別部分の画像面積を測定するステップと、
前記顔識別部分の画像面積に基づいて、使用者の顔と前記表示装置との間の距離値を計算して、前記表示装置と使用者との間の位置関係を取得するステップと、
を備えることを特徴とする請求項８に記載の電子装置の開閉角度の自動調整方法。
【請求項１０】
前記表示装置と使用者との間の位置関係を検出するステップは、
前記表示装置の前の画面を撮影して画像を取得するステップと、
前記画像に顔が存在するかどうかを判断するステップと、
前記画像に顔があると、顔識別部分に対応する使用者と前記表示装置との間の距離値を測定して、前記表示装置と使用者との間の位置関係を取得するステップと、
を備えることを特徴とする請求項８に記載の電子装置の開閉角度の自動調整方法。
【請求項１１】
前記位置関係に基づいて対応する調整信号を生じるステップは、
前記距離値が所定距離値と等しいかどうかを判断するステップと、
前記距離値が所定距離値と等しくないと、調整信号を送信するステップと、
を備えることを特徴とする請求項９又は請求項１０に記載の電子装置の開閉角度の自動調整方法。
【発明の詳細な説明】
【技術分野】
【０００１】
本発明は、電子装置に関するものであって、特に電子装置及びその開閉角度の自動調整方法に関するものである。
【背景技術】
【０００２】
ノートパソコンのような電子装置は、コンピュータ本体部及びコンピュータ本体部に回動可能に装着される表示装置を備える。電子装置を開ける場合、使用者は手でコンピュータ本体部と表示装置との間の開閉角度を調整するので、不便である。
【発明の概要】
【発明が解決しようとする課題】
【０００３】
本発明の目的は、前記課題を解決し、開閉角度を自動的に調整することができる電子装置及びその開閉角度の自動調整方法を提供することである。
【課題を解決するための手段】
【０００４】
本発明に係る電子装置は、コンピュータ本体部と、前記コンピュータ本体部に回動可能に接続される表示装置と、前記表示装置と使用者との間の位置関係を検出する検出モジュールと、前記位置関係に基づいて対応する調整信号を生じる処理ユニットと、前記処理ユニットに電気的に接続され、且つ前記調整信号によって前記表示装置と前記コンピュータ本体部との間の開閉角度を調整する駆動ユニットと、を備える。
【０００５】
前記電子装置の開閉角度の自動調整方法は、前記表示装置と使用者との間の位置関係を検出するステップと、前記位置関係に基づいて対応する調整信号を生じるステップと、前記調整信号によって前記表示装置と前記コンピュータ本体部との間の開閉角度を調整するステップと、備える。
【発明の効果】
【０００６】
本発明の電子装置及びその開閉角度の自動調整方法において、表示装置と使用者との間の位置関係を検出することができ、且つ前記位置関係に基づいてコンピュータ本体部と前記表示装置との間の開閉角度を自動的に調整する。
【図面の簡単な説明】
【０００７】
【図１】本発明の第一実施形態に係る電子装置の立体図である。
【図２】図１に示す電子装置の機能ブロック図である。
【図３】図１に示す電子装置の立体分解図である。
【図４】本発明の第二実施形態に係る電子装置の立体図である。
【図５】本発明の第一実施形態に係わる電子装置の開閉角度の自動調整方法のフローチャートである。
【図６】本発明の第二実施形態に係わる電子装置の開閉角度の自動調整方法のフローチャートである。
【発明を実施するための形態】
【０００８】
以下、図面を参照して、本発明の実施形態について説明する。
【０００９】
図１を参照すると、本発明の第一実施形態に係る電子装置１００は、表示装置１０と、コンピュータ本体部２０と、前記表示装置１０及び前記コンピュータ本体部２０を回動可能に接続する回動軸３０と、を備える。本実施形態において、前記電子装置１００は、ノートパソコンである。
【００１０】
前記表示装置１０は、蓋体１１と、表示スクリーン１３と、検出モジュール１５と、を備える。前記蓋体１１は、前記回動軸３０によって前記コンピュータ本体部２０に装着されて、前記コンピュータ本体部２０に相対して開閉することができる。前記表示スクリーン１３は、前記蓋体１１に設置され且つ前記コンピュータ本体部２０に対面する。
【００１１】
前記検出モジュール１５は、前記表示装置１０と使用者との間の位置関係を検出するために用いられる。前記位置関係は、前記表示装置１０と使用者の顔との間の距離値である。前記検出モジュール１５は、前記表示装置１０の前に使用者がいるかどうかを検出し、もし使用者がいると、さらに前記表示装置１０と前記使用者との間の位置関係を検出するので、前記電子装置１００は、知能化性能を有する。前記電子装置１００は、ショートカット・メニューを設置して前記検出モジュール１５をスタートオンするか又はスタートオフする。他の実施形態において、前記表示装置１０の前に使用者がいるかどうかを人工で判断することができ、前記表示装置１０又は前記コンピュータ本体部２０に実体ボタンを設置して、前記検出モジュール１５をスタートオンするか又はスタートオフすることができる。前記検出モジュール１５は、画像取得ユニット１５０と、顔識別ユニット１５２と、距離測定ユニット１５６と、を備える。
【００１２】
前記画像取得ユニット１５０は、カメラであって、前記蓋体１１に取り付けられ且つ前記表示スクリーン１３とともに前記蓋体１１の前記コンピュータ本体部２０に対面する片側に位置する。前記画像取得ユニット１５０は、前記蓋体１１の前記回動軸３０から離れている一端に設置される。前記画像取得ユニット１５０は、所定の焦点距離で前記表示スクリーン１３の前の画面を撮影して画像を取得する。
【００１３】
前記顔識別ユニット１５２及び前記距離測定ユニット１５６は、前記コンピュータ本体部２０の内部に設置されたソフトウェア又はハードウェアである。前記顔識別ユニット１５２は、前記画像に顔があるかどうかを判断し、もし前記画像に顔があると、顔識別部分を取得する。前記顔識別ユニット１５２によって顔を識別した場合、前記検出モジュール１５は、前記表示スクリーン１３の前に使用者がいると判断する。前記距離測定ユニット１５６は、前記顔識別部分の画像面積を測定し、且つ前記顔識別部分の画像面積に基づいて、使用者の顔と前記表示スクリーン１３との間の距離値を取得する。
【００１４】
前記画像取得ユニット１５０は、所定の焦点距離で撮影して画像を取得するので、毎回取得した画像の被写界深度が同じであり、前記表示スクリーン１３から離れている被写体の画像面積が小さく、前記表示スクリーン１３に近い被写体の画像面積が大きい。即ち、前記顔識別部分に対応する顔と前記表示スクリーン１３との間の距離値は、前記顔識別部分の画像面積に正比例になる。だから、前記顔識別部分の異なる画像面積に基づいて、前記顔識別部分に対応する顔と前記表示スクリーン１３との間の距離値を判断することができる。前記焦点距離及び前記距離値と前記画像面積の比は、大量の実験データから取得することができる。
【００１５】
図２及び図３を参照すると、前記コンピュータ本体部２０は、本体２１と、処理ユニット２３と、駆動ユニット２５と、を備える。前記本体２１は、前記回動軸３０によって前記蓋体１１に装着される。前記処理ユニット２３及び前記駆動ユニット２５は、全て前記本体２１の内部に設けられる。前記処理ユニット２３は、前記距離測定ユニット１５６から送信する距離値を受信して、前記距離値が所定距離値と等しいかどうかを判断し、もし前記距離値が所定距離値と等しなければ、調整信号を送信する。前記駆動ユニット２５は、前記処理ユニット２３からの調整信号によって、前記コンピュータ本体部２０と前記表示装置１０との間の開閉角度を調整して、使用者の顔と前記表示スクリーン１３との間の距離値をずっと前記所定距離値に維持させる。
【００１６】
前記駆動ユニット２５は、前記回動軸３０の両端に固定される２つのモーターである。２つの前記モーターと前記回動軸３０は、同軸に設置される。前記回動軸３０の中部は前記蓋体１１に固定され、前記回動軸３０の両端は前記本体２１の内部に収容される。前記駆動ユニット２５は、前記回動軸３０を駆動して回動させて、前記蓋体１１を連動して前記コンピュータ本体部２０に相対して回動させる。前記駆動ユニット２５は、前記処理ユニット２３に電気接続し、且つ前記処理ユニット２３の調整信号によって前記回動軸３０を駆動して回動させて、前記コンピュータ本体部２０と前記表示装置１０との間の開閉角度を調整する。
【００１７】
前記電子装置１００が開けられた場合、前記コンピュータ本体部２０と前記表示装置１０との間の開閉角度は、好ましい調整範囲が存在する。前記コンピュータ本体部２０と前記表示装置１０との間の開閉角度が前記調整範囲の最大値又は前記調整範囲の最小値と等しいと、前記駆動ユニット２５は前記回動軸３０を駆動しない。前記開閉角度の調整範囲は、大量の実験データから取得することができ、且つ前記処理ユニット２３内に貯蓄される。前記開閉角度の調整範囲は、５０度〜１３５度であることが好ましい。
【００１８】
前記コンピュータ本体部２０は、前記処理ユニット２３に電気接続する貯蓄ユニット２７をさらに備えることができる。前記貯蓄ユニット２７は、前記焦点距離、前記距離値と前記画像面積の比及び前記開閉角度の調整範囲を貯蓄するために用いられる。
【００１９】
本実施形態に係わる前記電子装置１００は、前記表示装置１０に設置された前記検出モジュール１５によって前記表示スクリーン１３の前に使用者がいるかどうかを検出し、もし使用者がいると、前記表示スクリーン１３と前記使用者の顔との間の距離値を計算し、前記コンピュータ本体部２０の処理ユニット２３は前記距離値に基づいて対応する調整信号を生じ、前記駆動ユニット２５は前記処理ユニット２３からの調整信号によって前記コンピュータ本体部２０と前記表示装置１０との間の開閉角度を自動的に調整する。
【００２０】
図４は、本発明の第二実施形態に係る電子装置２００の立体図である。前記第一実施形態に係わる電子装置１００に比べて、本実施形態に係わる電子装置２００において、前記表示装置１０と使用者との間の位置関係は、前記表示装置１０と使用者の顔との間の距離値ではなく、前記表示装置１０と使用者との間の距離値であり、前記画像取得ユニット１５０は、いかなる焦点距離で前記表示スクリーン１３の前の画面を撮影して画像を取得することができ、検出モジュール１５ａの距離測定ユニット２５６は実体部材であり、前記距離測定ユニット２５６は、顔識別部分が存在する場合、前記顔識別部分に対応する使用者と前記表示スクリーン１３との間の距離値を測定する。
【００２１】
前記距離測定ユニット２５６は、赤外線距離センサーであり、前記蓋体１１に取り付けられ且つ前記表示スクリーン１３とともに前記蓋体１１の前記コンピュータ本体部２０に対面する片側に位置する。前記距離測定ユニット２５６は、前記蓋体１１の前記回動軸３０から離れている一端に設置される。前記距離測定ユニット２５６は、前記画像取得ユニット１５０であるカメラのケースに嵌めることができ、前記表示装置１０の外観が美しくなる。他の実施形態において、前記距離測定ユニット２５６は、レーザー距離センサー又はソナー距離センサーなどであることができる。
【００２２】
本実施形態において、前記電子装置２００は、前記画像取得ユニット１５０を設置しなく、人工で前記表示装置１０の前に使用者がいるかどうかを判断することができ、従って前記電子装置２００の省エネルギーを実現する。使用者が前記表示装置１０の前にいる時、前記検出モジュール１５ａの距離測定ユニット２５６をスタートオンして、前記表示装置１０と前記使用者との間の距離値を計算し、前記表示装置１０と前記使用者との間の位置関係を正確に判断する。
【００２３】
前記表示装置１０と前記使用者との間の位置関係は、前記表示装置１０と前記使用者との間の距離値であるので、前記コンピュータ本体部２０と前記表示装置１０との間の開閉角度を調整して、前記表示装置１０と前記使用者との間の距離値をずっと所定距離値に維持させる。
【００２４】
本実施形態に係わる前記電子装置２００は、前記表示装置１０に前記距離測定ユニット２５６である実体部材を設置して、顔識別部分が存在する場合、前記距離測定ユニット２５６によって前記顔識別部分に対応する使用者と前記表示スクリーン１３との間の距離値を測定して、前記電子装置２００は前記距離値に基づいて対応する調整信号を生じ、前記調整信号によって前記コンピュータ本体部２０と前記表示装置１０との間の開閉角度を自動的に調整する。
【００２５】
図５は、本発明の第一実施形態に係わる電子装置１００の開閉角度の自動調整方法のフローチャートである。
【００２６】
ステップＳ５０：所定の焦点距離で前記表示装置１０の前の画面を撮影して画像を取得する。
【００２７】
ステップＳ５２：前記画像に顔が存在するかどうかを判断する。
【００２８】
ステップＳ５３：前記画像に顔が存在すると、顔識別部分を取得し、それともステップＳ５０に戻る。
【００２９】
ステップＳ５４：前記顔識別部分の画像面積を測定する。
【００３０】
ステップＳ５６：前記顔識別部分の画像面積に基づいて、使用者の顔と前記表示装置１０と間の距離値を計算して、使用者と前記表示装置１０との間の位置関係を取得する。
【００３１】
ステップＳ５８：前記距離値が所定距離値と等しいかどうかを判断する。
【００３２】
ステップＳ５１０：前記距離値が所定距離値と等しくないと、調整信号を送信し、それともステップＳ５０に戻る。
【００３３】
ステップＳ５１２：前記調整信号によって前記コンピュータ本体部２０と前記表示装置１０との間の開閉角度を調整する。
【００３４】
最後に前記ステップＳ５０に戻り、このように繰り返して循環して、使用者の顔と前記表示スクリーン１３との間の距離値をずっと所定距離値に維持させる。前記ステップＳ５０は、前記画像取得ユニット１５０が実行し、前記ステップＳ５２及び前記ステップＳ５３は、前記顔識別ユニット１５２が実行し、前記ステップＳ５４及び前記ステップＳ５６は、前記距離測定ユニット１５６が実行し、前記ステップＳ５８及び前記ステップＳ５１０は、前記処理ユニット２３が実行し、前記ステップＳ５１２は、前記駆動ユニット２５が実行する。前記検出モジュール１５をスタートオンするか又はスタートオフして、前記自動調整方法を開始するか又は終了する。
【００３５】
本実施形態に係わる電子装置１００の開閉角度の自動調整方法は、前記表示装置１０の前に使用者がいるかどうかを検出し、もし使用者がいると、前記表示装置１０と前記使用者の顔との間の距離値を検出し、前記コンピュータ本体部２０の処理ユニット２３は前記距離値に基づいて対応する調整信号を生じ、前記調整信号によって前記コンピュータ本体部２０と前記表示装置１０との間の開閉角度を自動的に調整して、使用者の顔と前記表示装置１０との間の距離値をずっと所定距離値に維持させる。
【００３６】
図６は、本発明の第二実施形態に係わる電子装置２００の開閉角度の自動調整方法のフローチャートである。
【００３７】
ステップＳ６０：前記表示装置１０の前の画面を撮影して画像を取得する。
【００３８】
ステップＳ６２：前記画像に顔が存在するかどうかを判断する。
【００３９】
ステップＳ６４：前記画像に顔が存在すると、顔識別部分に対応する使用者と前記表示装置１０との間の距離値を測定して、使用者と前記表示装置１０との間の位置関係を取得し、それとも前記ステップＳ６０に戻る。
【００４０】
ステップＳ６６：前記距離値が所定距離値と等しいかどうかを判断する。
【００４１】
ステップＳ６８：前記距離値が所定距離値と等しくないと、調整信号を送信し、それともステップＳ６０に戻る。
【００４２】
ステップＳ６１０：前記調整信号によって前記コンピュータ本体部２０と前記表示装置１０との間の開閉角度を調整する。
【００４３】
最後に前記ステップＳ６０に戻り、このように繰り返して循環して、使用者と前記表示装置１０との間の距離値をずっと所定距離値に維持させる。前記ステップＳ６０は、前記画像取得ユニット１５０が実行し、前記ステップＳ６２は、前記顔識別ユニット１５２が実行し、前記ステップＳ６４は、前記距離測定ユニット２５６が実行し、前記ステップＳ６６及び前記ステップＳ６８は、前記処理ユニット２３が実行し、前記ステップＳ６１０は、前記駆動ユニット２５が実行する。前記検出モジュール１５ａをスタートオンするか又はスタートオフして、前記自動調整方法を開始するか又は終了する。
【００４４】
本実施形態に係わる電子装置２００の開閉角度の自動調整方法は、顔識別部分を取得すると、前記顔識別部分に対応する使用者と前記表示装置１０との間の距離値を測定し、前記コンピュータ本体部２０の処理ユニット２３は前記距離値に基づいて対応する調整信号を生じ、前記調整信号によって前記コンピュータ本体部２０と前記表示装置１０との間の開閉角度を自動的に調整して、使用者と前記表示装置１０との間の距離値をずっと所定距離値に維持させる。
【００４５】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【符号の説明】
【００４６】
１０  表示装置
１１  蓋体
１３  表示スクリーン
１５，１５ａ  検出モジュール
２０  コンピュータ本体部
２１  本体
２３  処理ユニット
２５  駆動ユニット
２７  貯蓄ユニット
３０  回動軸
１００，２００  電子装置
１５０  画像取得ユニット
１５２  顔識別ユニット
１５６，２５６  距離測定ユニット
【図１】
2011253531.tif 000003
【図２】
2011253531.tif 000004
【図３】
2011253531.tif 000005
【図４】
2011253531.tif 000006
【図５】
2011253531.tif 000007
【図６】
2011253531.tif 000008